(57)【要約】【課題】  反射効率及び輝度が高くかつ耐衝撃性に優れた反射体装置を提供する。【解決手段】  それぞれが縦断面において互いに噛合可能な三角波状をなす反射部１５、２５を有する２本の透明又は半透明の樹脂製の第１及び第２棒状体１１、２１をそれぞれの反射部１５、２５が互いに噛合するように接合して形成された１本の複合体４０と、この複合体を構成する第１及び第２棒状体１１、２１の各一端面又は両端面１３、１４、２３、２４に対向して配置される複数のＬＥＤランプ１２とを備える。【選択図】図１
2008027695.tif 000002
【特許請求の範囲】
【請求項１】
それぞれが縦断面において互いに噛合可能な三角波状をなす反射部(15,25)を有する２本の透明又は半透明の樹脂製の第１及び第２棒状体(11,21)をそれぞれの前記反射部(15,25)が互いに噛合するように接合して形成された１本の複合体(40)と、
前記複合体を構成する前記第１及び第２棒状体(11,21)の各一端面又は両端面(13,14,23,24)に対向して配置される複数のＬＥＤランプ(12)と
を備えた反射体装置。
【請求項２】
それぞれが縦断面において三角波状をなす反射部(15,25)を有する２本の透明又は半透明の樹脂製の第１及び第２棒状体(11,21)をそれぞれの前記反射部(15,25)が互いに空隙(41)を有するように接合して形成された１本の複合体(40)と、
前記複合体を構成する前記第１及び第２棒状体(11,21)の各一端面又は両端面(13,14,23,24)に対向して配置される複数のＬＥＤランプ(12)と
を備えた反射体装置。
【請求項３】
第１及び第２棒状体(11,21)の各横断面が円形、採取されたマッシュルームの断面形状、又はかまぼこの断面形状に形成され、第１及び第２棒状体(11,21)の各反射部(15,25)が前記断面形状における平坦面にそれぞれ形成された請求項１又は２記載の反射体装置。
【請求項４】
複数のＬＥＤランプ(12)が第１及び第２棒状体(11,21)の各一端面(13,23)に配置され、前記一端面(13,23)と反対側の第１棒状体(11)の他端面(14)及び第２棒状体(21)の他端面(24)が棒状体接合面の延長面(49)に対してそれぞれ１２０〜１５０度又は３０〜６０度傾斜した平面である請求項１又は２記載の反射体装置。
【請求項５】
第１及び第２棒状体(11,21)の各反射部(15,25)がそれぞれ棒状体(11,21)の軸方向に連続的又は断続的に形成された請求項１又は２記載の反射体装置。
【請求項６】
それぞれが縦断面において互いに噛合可能な三角波状をなす反射部(55,65)を一方の面に有する２枚の透明又は半透明の樹脂製の第１及び第２板状体(51,61)をそれぞれの前記反射部(55,65)が互いに噛合するように接合して形成された１つの複合体(80)と、
前記複合体を構成する前記第１及び第２板状体(51,61)の各一端面又は両端面(53,54,63,64)に対向して配置される複数のＬＥＤランプ(52)と
を備えた反射体装置。
【請求項７】
それぞれが縦断面において三角波状をなす反射部(55,65)を一方の面に有する２枚の透明又は半透明の樹脂製の第１及び第２板状体(51,61)をそれぞれの前記反射部(55,65)が互いに空隙(81)を有するように接合して形成された１つの複合体(80)と、
前記複合体を構成する前記第１及び第２板状体(51,61)の各一端面又は両端面(53,54,63,64)に対向して配置される複数のＬＥＤランプ(52)と
を備えた反射体装置。
【請求項８】
第１及び第２板状体(51,61)の各横断面がイギリスパンの断面形状に形成され、第１及び第２板状体(51,61)の各反射部(55,65)が前記縦断形状における平坦面にそれぞれ形成された請求項６又は７記載の反射体装置。
【請求項９】
複数のＬＥＤランプ(52)が第１及び第２板状体(51,61)の各一端面(53,63)に配置され、前記一端面(53,63)と反対側の第１板状体(51)の端面(54)及び第２板状体(61)の端面(64)が板状体接合面の延長面(79)に対してそれぞれ３０〜６０度又は１２０〜１５０度傾斜した平面である請求項６又は７記載の反射体装置。
【請求項１０】
第１及び第２板状体(51,61)の各反射部(55,65)がそれぞれ板状体(51,61)の軸方向に連続的又は断続的に形成された請求項６又は７記載の反射体装置。
【発明の詳細な説明】
【技術分野】
【０００１】
本発明は、透明又は半透明な材料で作られた棒状体又は板状体の端面にＬＥＤランプを配置し、これらの表面を発光させる反射体装置に関する。
【背景技術】
【０００２】
従来、軸方向に光路が確保されている所定長さの透明な棒状体からなり、その端部からＬＥＤランプの光線が入射されるようにした反射体が知られている（例えば、特許文献１参照。）。この反射体は、棒状体の外周面の一部に、側面形状が略鋸歯形状を呈する斜面からなる複数個のギザギザが、軸方向に亘って、入射される光線を横切る方向に形成されている。この反射体は、少ない数の光源により、長い範囲或いは広範囲に亘って一様に光らせることができる。
【特許文献１】特開２００４−１０９３９１号公報（請求項１、図１、図５）
【発明の開示】
【発明が解決しようとする課題】
【０００３】
しかし、上記棒状体の反射体は、複数個のギザギザだけで入射させた光線を反射させているため、反射効率が低く輝度に劣り、また棒状体のみからなるため、耐衝撃性が十分でない問題があった。
【０００４】
本発明の第１の目的は、反射効率及び輝度が高くかつ耐衝撃性に優れた反射体装置を提供することにある。
本発明の第２の目的は、複合体を構成する棒状体の上面又は板状体の上面のみだけでなく、棒状体の側面又は板状体の側面をも輝面とすることができる反射体装置を提供することにある。
【０００５】
本発明の第３の目的は、複合体を構成する棒状体の軸方向又は板状体の長手方向に沿った面において発光部分と非発光部分を生じさせることにより、文字や、図柄等の表示を行うことができる反射体装置を提供することにある。
本発明の第４の目的は、板状体とすることで、照射範囲の広い反射体装置を提供することにある。
【課題を解決するための手段】
【０００６】
請求項１に係る発明は、図１に示すように、反射体装置１０は、それぞれが縦断面において互いに噛合可能な三角波状をなす反射部１５、２５を有する２本の透明又は半透明の樹脂製の第１及び第２棒状体１１、２１をそれぞれの反射部１５、２５が互いに噛合するように接合して形成された１本の複合体４０と、複合体を構成する第１及び第２棒状体１１、２１の各一端面又は両端面１３、１４、２３、２４に対向して配置される複数のＬＥＤランプ１２とを備える。
【０００７】
請求項２に係る発明は、図４に示すように、反射体装置１０は、それぞれが縦断面において三角波状をなす反射部１５、２５を有する２本の透明又は半透明の樹脂製の第１及び第２棒状体１１、２１をそれぞれの反射部１５、２５が互いに空隙４１を有するように接合して形成された１本の複合体４０と、この複合体を構成する第１及び第２棒状体１１、２１の各一端面又は両端面１３、１４、２３、２４に対向して配置される複数のＬＥＤランプ１２とを備える。
【０００８】
請求項３に係る発明は、請求項１又は２に係る発明であって、第１及び第２棒状体１１、２１の各横断面が円形、採取されたマッシュルームの断面形状（図１及び図３）、又はかまぼこの断面形状に形成され、第１及び第２棒状体１１、２１の各反射部１５、２５が断面形状における平坦面にそれぞれ形成された反射体装置である。
【０００９】
請求項４に係る発明は、請求項１又は２に係る発明であって、複数のＬＥＤランプ１２が第１及び第２棒状体１１、２１の各一端面１３、２３に配置され、一端面１３、２３と反対側の第１棒状体１１の端面１４及び第２棒状体２１の端面２４が棒状体接合面の延長面４９に対してそれぞれ１２０〜１５０度又は３０〜６０度傾斜した平面である反射体装置である。
【００１０】
請求項５に係る発明は、請求項１又は２に係る発明であって、第１及び第２棒状体１１、２１の各反射部１５、２５がそれぞれ棒状体１１、２１の軸方向に連続的（図６）又は断続的（図１及び図２）に形成された反射体装置である。
【００１１】
請求項６に係る発明は、図８に示すように、反射体装置５０は、それぞれが縦断面において互いに噛合可能な三角波状をなす反射部５５、６５を一方の面に有する２枚の透明又は半透明の樹脂製の第１及び第２板状体５１、６１をそれぞれの反射部５５、６５が互いに噛合するように接合して形成された１つの複合体８０と、この複合体を構成する第１及び第２板状体５１、６１の各一端面又は両端面５３、５４、６３、６４に対向して配置される複数のＬＥＤランプ５２とを備える。
【００１２】
請求項７に係る発明は、図６に示すように、反射体装置５０は、それぞれが縦断面において三角波状をなす反射部５５、６５を一方の面に有する２枚の透明又は半透明の樹脂製の第１及び第２板状体５１、６１をそれぞれの反射部５５、６５が互いに空隙８１を有するように接合して形成された１つの複合体８０と、この複合体を構成する第１及び第２板状体５１、６１の各一端面又は両端面５３、５４、６３、６４に対向して配置される複数のＬＥＤランプ５２とを備える。
【００１３】
請求項８に係る発明は、請求項６又は７に係る発明であって、第１及び第２板状体５１、６１の各横断面がイギリスパン（図７）の断面形状に形成され、第１及び第２板状体５１、６１の各反射部５５、６５が断面形状における平坦面にそれぞれ形成された反射体装置である。
【００１４】
請求項９に係る発明は、請求項６又は７に係る発明であって、図６に示すように、複数のＬＥＤランプ５２が第１及び第２板状体５１、６１の各一端面５３、６３に配置され、一端面５３、６３と反対側の第１板状体５１の端面５４及び第２板状体６１の端面６４が板状体接合面の延長面７９に対してそれぞれ３０〜６０度又は１２０〜１５０度傾斜した平面である反射体装置である。
【００１５】
請求項１０に係る発明は、請求項６又は７に係る発明であって、第１及び第２板状体５１、６１の各反射部５５、６５がそれぞれ板状体５１、６１の軸方向に連続的（図５及び図６）又は断続的（図２）に形成された反射体装置である。
【発明の効果】
【００１６】
請求項１に記載された反射体装置では、図１及び図２に示すように、反射部１５，２５が互いに噛合するように接合されているため、ＬＥＤランプ１２から棒状体１１、２１に入射した光線が反射部１５、２５に到達したときに、反射部１５、２５を構成する小斜面で反射する。この反射部１５、２５のプリズム効果により、反射効率が高くなり、これに伴い輝度も高くなる。また、それぞれの反射部１５、２５を構成する小斜面同士１６、１７、２６、２７が密着するように棒状体１１、２１を接合するため、反射体装置の使用時に、複合体４０に衝撃を与えても、反射部１５、２５に欠け等が起こらず、対衝撃性が高くなる。
【００１７】
請求項２に記載された反射体装置では、図４に示すように、光線は反射部１５を形成する小斜面１６を透過屈折し空隙４１に入る。光線の一部は、所定の反射角で全反射して反射部１５に対向する上面１９へ向かう。また光線の一部は、もう一方の棒状体２１の反射部２５を形成する小斜面２７を透過屈折し、もう一方の棒状体２１内部へ向かう。更に、光線の一部は、もう一方の棒状体２１の反射部を形成する小斜面２７に到達した後、所定の反射角で全反射し、別の小斜面１７から再び棒状体１１内部へ戻る。これらのため、反射部１５を形成する小斜面１６、１７同士が接する区切り線１５ａが見にくくなる。この結果、反射部１５、２５のプリズム効果に輝度を高めるとともに、棒状体１１全長に亘って輝面である上面１９における輝度を均一にすることができる。
【００１８】
請求項３に記載された反射体装置では、図２に示すように、ＬＥＤランプ１２で発生した光線は、一端面又は両端面１３、１４から棒状体１１内部に入射し、反射部１５から上面１９に到達する。図３に示すように、上面１９は平面的ではなく曲面的であるため、透過屈折により上面１９から外部へ出る光線を除いて、全反射した光線が棒状体１１内部で拡散し、反射部１５のみだけでなく側面２０にも光線が向かう。これにより、反射部１５と略垂直に対向しない側面２０をも輝面とすることができる。また、反射部１５、２５が互いに対向するように接合されているため、複合体４０の周面全体に亘って輝面とすることができる。
【００１９】
請求項４に記載された反射体装置では、図４に示すように、一端面１３から入射した光線が棒状体１１の軸方向に沿って反対側の端面１４に到達する。この端面１４で反射した光線が反射部１５と対向する上面１９を透過する。これにより、端面１４から外部へ出る光量が減少するので、反射部１５に対向する輝面である上面１９における輝度を高くすることができる。
【００２０】
請求項５に記載された反射体装置では、図４に示すように、連続的に反射部１５が形成される場合、反射部１５に対向する上面１９から棒状体１１の軸方向に沿って連続的に光線が外部に出る。光線は、ＬＥＤランプ１２から遠のく程、その光量が減少するので、所望の輝度を維持するためには、長さが小さい棒状体１１を用いる反射体装置に好適である。図１及び図２に示すように、断続的に反射部１５が形成される場合、反射部１５に対向する上面１９から棒状体１１の軸方向に沿って、断続的に光線が棒状体１１の外部に出る。小斜面が形成されない部分１８では光線が外部に出にくいので、反射部１５が連続的なものと比べて光量の減少度合いが低く、反射部１５を連続的に形成した棒状体１１を用いる反射体装置よりも棒状体１１の長さを大きくしても、所望の輝度を維持することができる。なお、棒状体２１における作用は、棒状体１１における上記作用とそれぞれ同様である。
【００２１】
請求項６に記載された反射体装置では、図８に示すように、板状体５１、６１とすることで、棒状体１１、２１とするよりも、より広い照射範囲が得られる。また、請求項１に記載された反射体装置と同様に、反射部５５、６５同士が互いに噛合するように接合されているため、ＬＥＤランプ５２から板状体に入射した光線が反射部５５を構成する小斜面５９に到達したときに、この小斜面５９において全反射するため、反射部のプリズム効果により、反射効率が高くなり、これに伴い輝度も高くなる。また、それぞれの反射部５５、６５を構成する小斜面同士５９、６０、６９、７０が密着するように棒状体１１、２１を接合するため、反射体装置の使用時に、複合体８０に衝撃を与えても、反射部５５、６５に欠け等が起こらず、対衝撃性が高くなる。
【００２２】
請求項７に記載された反射体装置では、図６に示すように、請求項２に記載された反射体装置と同様に、反射部５５を形成する小斜面５９、６０同士が接する区切り線５５ａが見にくくなるため、板状体５１全長に亘って、図７に示される反射部５５に対向する輝面である上面５７及び側面５８からなる連続面５６における輝度を均一にすることができる。
【００２３】
請求項８に記載された反射体装置では、図６に示すように、ＬＥＤランプ５２で発生した光線は、一端面又は両端面５３、５４から板状体５１内部に入射し、反射部５５から上面５７に到達する。図７に示すように、上面５７は平面的ではなく曲面的であるため、透過屈折により上面５７から外部へ出る光線を除いて、全反射した光線が板状体５１内部で拡散し、反射部５５のみだけでなく側面５８或いは上面５７、更にはもう一方の板状体６１の反射部６５にも光線が向かう。これにより、板状体５１の上面５７或いは側面５８をも輝面とすることができる。また、反射部５５、６５が互いに対向するように接合されているため、複合体８０の周面全体に亘って輝面とすることができる。
【００２４】
請求項９に記載された反射体装置では、請求項３に記載された反射体装置と同様に、図６に示すように、反射部５５に対向する輝面である上面５７における輝度を高くすることができる。
【００２５】
請求項１０に記載された反射体装置では、請求項５に記載された反射体装置と同様に、図５に示すように、連続的に反射部５５が形成される場合、長さが小さい板状体５１を用いる反射体装置に好適であり、断続的に反射部５５が形成される場合、反射部５５を連続的に形成した板状体５１を用いる反射体装置よりも板状体５１の長さを大きくしても、所望の輝度を維持することができる。更に、反射部５５を任意に形成することによって、その形成された反射部５５と小斜面が形成されない部分の分布により、輝面において文字や図柄を表示することができる。この結果、照明機能の他に表示機能をも備えることができる。なお、板状体６１における作用は、板状体５１における上記作用とそれぞれ同様である。
【発明を実施するための最良の形態】
【００２６】
次に本発明を実施するための最良の形態を図面に基づいて説明する。
【００２７】
＜第１の実施の形態＞
図１に示すように、第１の実施の形態の反射体装置１０は、２本の棒状体１１、２１を透明な接着剤で接合した複合体４０と４個のＬＥＤランプ１２とを備える。
【００２８】
棒状体１１、２１は、透明又は半透明の樹脂からなる。樹脂としては、アクリル系樹脂、ポリカーボネート樹脂等が挙げられる。棒状体１１、２１の両端面１３、１４、２３、２４は、その軸線に対して鉛直面をなす。図２に示すように、２本の棒状体１１、２１はそれぞれが縦断面において互いに噛合可能な三角波状の反射部１５、２５を有する。図１及び図２に示すように、反射部１５、２５は棒状体底部に一平面に沿って断続的に形成される。図２では２個のＬＥＤランプのみ示す。棒状体１１、２１の軸方向における反射部１５、２５の縦断面では、隣合う小斜面１６、１７又は２６、２７が、二等辺三角形の隣合う斜辺のように、約９０度の内角を形成しながら連続する部分と、小斜面が形成されずに棒状体の軸方向に対して水平な部分１８、２８がある。小斜面１６、１７又は２６、２７によりプリズムが形成される。即ち、反射部１５、２５は棒状体１１、２１の横断方向にそれぞれ稜線を有する。棒状体１１、２１の小斜面は互いに同形同大に形成され、反射部１５、２５は互いに噛合可能に形成される。即ち、棒状体１１、２１の反射部１５、２５は雌雄の関係に形成される。
【００２９】
図３に示すように、棒状体１１及び２１の各横断面は採取されたマッシュルームを縦割りにしたときの断面形状をなす。即ち、棒状体１１及び２１の各横断面において、上述した棒状体底部の平面的な反射部１５、２５と、棒状体頂部の円弧状の上面１９、２９と、この上面１９、２９と反射部１５、２５に挟まれた棒状体側部の互いに対向する円弧状の２つの側面２０、３０とを有する。
【００３０】
図１及び図２に示すように、互いに接合された棒状体１１、２１の４つの端面１３、１４、２３、２４には、ランプ光軸を棒状体１１、２１の中心軸に合せて、４個のＬＥＤランプ１２が端面毎に配置される。ＬＥＤランプ１２としては、集光型のＬＥＤが好ましい。ＬＥＤランプ１２のソケット１２ａの横断面は、棒状体１１、２１の端面と同様の略半円形であり、棒状体１１、２１の端面１３、１４、２３、２４の周縁よりも一回り大きい。一対のソケット１２ａは棒状体１１、２１の両端部に嵌着される。
【００３１】
このように構成された反射体装置１０の作用を説明する。なお、この実施の形態において、図１、図２及び図３では、光線を１本の細線により描いているが、実際には、ＬＥＤランプ１２からの光線は無数本出ており、全反射や透過屈折により各々１本の光線がそれぞれ複数本に分散している。
【００３２】
図２に示すように、反射体装置１０では、ＬＥＤランプ１２からの光線３１が端面１３から棒状体１１内部に入射し、入射した光線３１の一部３２が、それぞれの入射角で、反射部１５に対向する上面１９に到達する。この上面１９に到達した光線３２のうち、入射角が臨界角に満たない光線３３は透過屈折により上面１９から棒状体１１の外部へ出る。入射角が臨界角を満たした光線３４は入射角と同じ角度で拡散しながら全反射し、反射部１５を構成する小斜面１６、１７或いは小斜面２６等に向かって棒状体１１内部を進む。
【００３３】
続いて、小斜面１６に到達した光線３４は、入射角と同じ角度で光線３４の大半が全反射する。これは棒状体１１、２１の反射部１５、２５を構成する小斜面１６、１７、２６、２７同士が密着しているためである。全反射した光線３５は上面１９に到達し、再び、入射角の大きさにより、透過屈折により上面１９から棒状体１１の外部へ出る光線３６と、全反射する光線３７に分かれる。また、光線３４の一部は、もう１本の棒状体２１の反射部２５を構成する小斜面２６から透過屈折により入射し、棒状体２１内部において上記と同様の作用を繰返して棒状体２１の外部に出る。
【００３４】
一方、図３に示すように、棒状体１１の上面１９が円弧状をなすために、光線３４が光線３４ａ、３４ｂ、３４ｃ等に拡散する。拡散した光線３４ｂ、３４ｃの中には、棒状体の円弧状の側面２０、２０に到達し、再び、入射角の大きさにより、透過屈折により側面２０から棒状体１１の外部へ出る光線と全反射して棒状体１１内部を小斜面や、上面１９又は対向する側面２０へ向かって移動する光線等に分かれる。
【００３５】
上記作用が、光線３１が端面１３に対向する端面１４に到達するまで繰返される。更に、端面２３に配置されたＬＥＤランプ１２からの光線３８も、端面２３から棒状体２１内部へ入射し、同様の作用を繰返して端面２４に向かう。棒状体１１、２１の反射部１５、２５が互いに対向するように接合されているため、複合体４０の周面全体に亘って輝面とすることができる。
【００３６】
また、三角波状の反射部を構成する小斜面が形成されない部分１８、２８に対向する上面１９、２９は非発光部分となる。図２に示すように、断続的に反射部１５、２５が形成される反射体装置では、反射部１５、２５に対向する上面１９、２９から棒状体１１、２１の軸方向に沿って、断続的に光線が棒状体１１の外部に出る。部分１８，２８では光線が外部に出にくいので、反射部１５、２５が連続的なものと比べて光量の減少度合いが低く、反射部１５、２５を連続的に形成した棒状体１１、２１を用いる反射体装置よりも棒状体１１、２１の長さを長くしても、所望の輝度を維持することができる。部分１８、２８に文字や、図柄等を印刷しておけば、ＬＥＤランプ１２の光線で複合体４０の外部からこれらを明示することができる。
【００３７】
なお、上記第１の実施の形態では、棒状体の横断面が略半円形の採取されたマッシュルームの断面形状を示したが、円形又はかまぼこの断面形状でもよい。また、棒状体１１の両端面１３、１４は、その軸線に対して鉛直面である例を示したが、図４に示すように、ＬＥＤランプ１２を棒状体１１、２１の一端面１３、２３に配置する場合には、一端面１３、２３と反対側の端面１４、２４が棒状体接合面の延長面４９に対して角度θ傾斜した平面であってもよい。図４に示す例では、角度θは１２０〜１５０度が好ましく、１３０〜１４０度が更に好ましく、１３５度が最も好ましい。またこの角度θは鈍角であることに限定せず、図６に示すように、鋭角であってもよい。角度θが鋭角の場合には、３０〜６０度が好ましく、４０〜５０度が更に好ましく、４５度が最も好ましい。
【００３８】
図４に示した反射体装置では、一端面１３、２３から入射した光線が棒状体１１、２１の軸方向に沿って反対側の端面１４、２４に到達した後、この端面１４、２４で反射した光線が反射部１５、２５と対向する上面１９、２９を透過する。これにより、端面１４、２４から外部へ出る光量が減少するので、ＬＥＤランプ１２が棒状体１１、２１の一端面にだけ設けられた場合にも、反射部に対向する輝面である上面１９、２９における輝度を高くすることができる。
【００３９】
また、上記第１の実施の形態では、棒状体の軸方向に反射部１５の三角波状が、断続的に形成された例を示したが、図４に示すように、連続的に形成されたものでもよい。更に、上記第１の実施の形態では、反射部１５、２５同士が互いに噛合する例を示したが、図４に示すように、複合体４０を構成する第１及び第２棒状体１１、２１の反射部１５、２５間に空隙４１を形成してもよい。このような反射体装置では、光線は反射部１５を形成する小斜面１６を透過屈折し空隙４１に入る。光線の殆ど大部分は所定の反射角で全反射し、別の小斜面１７から再び棒状体１１内部へ戻り、光線の一部は小斜面２７を透過して別の棒状体２１に入る。このため、棒状体２１の反射部２５を形成する小斜面２６、２７において反射が起こり反射部１５を形成する小斜面同士が接する区切り線１５ａが見にくくなる。この結果、棒状体１１全長に亘って輝面である上面１９における輝度を均一にすることができるが、反射部１５、２５同士が互いに噛合する反射体装置と比較して輝度が若干劣る。
【００４０】
＜第２の実施の形態＞
図５に示すように、第２の実施の形態の反射体装置５０は、２枚の板状体５１、６１を透明な接着剤で接合した複合体８０と、８個のＬＥＤランプ５２とを備える。
【００４１】
板状体５１、６１は、第１の実施の形態の棒状体と同じ樹脂からなり、それぞれ反射部５５、６５を有する。図６に示すように、この板状体５１、６１は、各縦断面において三角波状をなす反射部５５、６５をそれぞれ一方の面に有し、これらの反射部５５、６５は連続して形成される。１枚の板状体５１、６１は、各別に一体的に樹脂成形される。板状体６１は板状体５１と同一に形成される。板状体５１、６１の反射部５５、６５は同一ピッチで、小斜面により形成されるプリズムの凹凸の順序も同一である。反射部５５を形成する小斜面５９、６０及び反射部６５を形成する小斜面６９、７０は、それぞれ二等辺三角形の隣合う斜辺のように、約９０度の内角を形成しながら連続する。なお、縦断面において透明又は半透明の図１に示した樹脂製棒状体１１を４本用意し、これらを図１に示した反射部１５が一平面上になるように平行に並べて接合して形成してもよい。
【００４２】
図７に示すように、板状体５１、６１の他方の面である反射部５５、６５に対向する連続面５６、６６はＬＥＤランプ５２の光軸方向に直交する断面（板状体５１、６１の横断面）において円弧を連ねた略イギリスパンの形状をなす。即ち、板状体５１、６１は、その横断面において、平面的な反射部５５、６５と反射部に対向する連続面５６、６６から構成され、この連続面５６、６６を構成する各円弧は、棒状体頂部の円弧状の上面５７、６７と、この上面に続く互いに対向する円弧状の２つの側面５８、６８とを有する。
【００４３】
複合体８０は、２枚の板状体５１、６１をそれぞれの反射部５５、６５で接合して形成される。この実施の形態では、反射部５５を形成する小斜面５９、６０と反射部６５を形成する小斜面６９、７０は互いに噛合せず、即ち密着せず、反射部５５、６５間に空隙８１が形成される。また板状体５１、６１の一端面５３、６３は、その長手方向に対して鉛直面をなす。一端面５３、６３と反対側の端面５４、６４は板状体接合面の延長面７９に対してそれぞれ角度θ傾斜した平面である。角度θは３０〜６０度が好ましく、４０〜５０度が更に好ましく、４５度が最も好ましい。
【００４４】
複合体８０を構成する板状体５１、６１のそれぞれの端面５３、６３には、それぞれのランプ光軸を棒状体の中心軸に合せて、ＬＥＤランプ５２が配置される。ＬＥＤランプ５２としては、集光型のＬＥＤが好ましい。ＬＥＤランプ５２のソケット５２ａの横断面は、端面５３と６３とを合わせた複合体８０の端面と同様の形状をなし、複合体８０の端面の周縁よりも一回り大きい。ソケット５２ａは複合体８０の端部に嵌着される。
【００４５】
このように構成された反射体装置５０の作用を説明する。なお、この実施の形態において、図５、図６及び図７では、光線を１本の細線により描いているが、実際には、ＬＥＤランプ５２からの光線は無数本出ており、全反射や透過屈折により各々１本の光線がそれぞれ複数本に分散している。
【００４６】
図６に示すように、ＬＥＤランプ５２で発生した光線７１は一端面５３から入射し、板状体５１の軸方向に沿って反対側の端面５４に到達した後、この端面５４で反射した光線７７が反射部５５と対向する連続面５６（図７）を透過する。一端面６３から入射した光線７８の挙動も同じである。これにより、端面５４、６４から外部へ出る光量が減少するので、ＬＥＤランプ５２、５２が板状体５１、６１の一端面にだけ設けられた場合にも、反射部５５、６５に対向する輝面である連続面５６、６６（図７参照）における輝度を高くすることができる。
【００４７】
また板状体５１の内部を進む光線７４は反射部５５を形成する小斜面５９を透過屈折し空隙８１に入る。光線７５は板状体６１の反射部６５を形成する小斜面７０に到達した後、所定の反射角で光線７５の大部分７６が全反射し、別の小斜面６０から再び板状体５１内部へ戻り、光線の一部は小斜面７０を透過して別の板状体６１に入る。このため、板状体６１の反射部６５を形成する小斜面７０において反射が起こり、反射部５５を形成する小斜面５９、６０同士が接する区切り線５５ａが見にくくなる。この結果、板状体５１全長に亘って輝面である上面５７における輝度を均一にすることができる。
【００４８】
更にＬＥＤランプ５２で発生した光線７１は、一端面５３から板状体５１内部に入射し、光線７１の一部の光線７２は反射部５５から連続面５６（図７）を構成する上面５７に到達する。図７に示すように、板状体５１の上面５７が円弧状をなすために、光線７４が光線７４ａ、７４ｂ、７４ｃ等に拡散する。拡散した光線７４ｂ、７４ｃの中には、板状体の円弧状の側面５８に到達し、再び、入射角の大きさにより、透過屈折により側面５８から板状体５１の外部へ出る光線と全反射して板状体５１内部を小斜面や、上面５７又は対向する側面５８へ向かって移動する光線等に分かれる。
【００４９】
上記作用が、光線７１が端面５３に対向する端面５４に到達するまで繰返される。更に、図５に示される端面６３に対し垂直に設置されたＬＥＤランプ５２からの光線も、端面６３から板状体６１内部へ入射し、同様の作用を繰返して端面６４に向かう。これにより、板状体５１、６１の上面或いは側面をも輝面とすることができ、板状体５１、６１の反射部５５、６５が互いに対向するように接合されているため、複合体８０の周面全体に亘って輝面とすることができる。
【００５０】
なお、上記第２の実施の形態では、反射部５５、６５間に空隙８１が形成される例を示したが、図８に示すように、反射部５５、６５のそれぞれを縦断面において互いに噛合可能な三角波状に形成して、反射部５５、６５が互いに噛合するように接合することにより、板状体５１，６１を形成するようにしてもよい。
【００５１】
また、第２の実施の形態では、板状体５１、６１の端面５３、６３は、その長手方向に対して鉛直面であり、端面５４、６４は板状体接合面の延長面に対して角度θ傾斜した平面としたが、板状体の両端面ともにその長手方向に対して鉛直面であってもよい。
【００５２】
また、第２の実施の形態では、板状体５１、６１の長手方向に反射部５５、６５の三角波状が、連続的に形成された例を示したが、図２に示すように、断続的に形成されたものでもよい。三角波状の反射部が形成されない部分に略垂直に対向する連続面は非発光部分となる。
【００５３】
更に、第２の実施の形態では、板状体５１、６１の一端面に８個のＬＥＤランプを配置する例を示したが、両端面にＬＥＤランプを配置してもよい。また、ＬＥＤランプの個数は、板状体を構成する曲面の個数に合せて増減させてもよく、或いは曲面の個数に必ずしも一致させなくてもよい。
【図面の簡単な説明】
【００５４】
【図１】本発明の第１実施形態の反射体装置の組立斜視図である。
【図２】図１のＡ−Ａ線縦断面図である。
【図３】図１のＢ−Ｂ線横断面図である。
【図４】棒状体の反射部が連続的に形成され、反射部間に空隙が形成され、棒状体の一端面が棒状体接合面の延長面に対して傾斜した平面である反射体装置の図２に対応する縦断面図である。
【図５】本発明の第２実施形態の反射体装置の組立斜視図である。
【図６】図５のＣ−Ｃ線縦断面図である。
【図７】図５のＤ−Ｄ線横断面図である。
【図８】反射部同士が噛合するように接合された図５に対応する組立斜視図である。
【符号の説明】
【００５５】
１０，５０  反射体装置
１１，２１  棒状体
１２，５２  ＬＥＤランプ
１５，２５，５５，６５  反射部
１３，１４，２３，２４，５３，５４，６３，６４  端面
４１，８１  空隙
４９，７９  延長面
５１，６１  板状体
【図１】
2008027695.tif 000003
【図２】
2008027695.tif 000004
【図３】
2008027695.tif 000005
【図４】
2008027695.tif 000006
【図５】
2008027695.tif 000007
【図６】
2008027695.tif 000008
【図７】
2008027695.tif 000009
【図８】
2008027695.tif 000010